(57)【要約】【課題】チャフシーブの開度調節機構を備える選別装置において、開度調節機構への屑溜りを防止し、屑溜りによる開度調節機構の作動不良を回避する。【解決手段】左右の側板１９間に、被選別物を篩い落すチャフシーブ９が構成された揺動選別体２０において、前記チャフシーブ９を、前後方向に並ぶ固定フィン２１及び複数の可動フィン２２で構成すると共に、前記側板１９やアッシー側板２４に、可動フィン２２の姿勢制御に基づいてチャフシーブ９の開度を調節する開度調節機構２３やパンタグラフ２５を配置し、さらに、前記固定フィン２１に、可動フィン２２の左右端部上方を覆う板状の屑溜り防止カバー３２を取付け、この屑溜り防止カバー３２によって前記開度調節機構２３やパンタグラフ２５への屑溜りを防止する。【選択図】　　　　図２
2004113184.tif 000002
【特許請求の範囲】
【請求項１】
左右の側板間に、被選別物を篩い落すチャフシーブが構成された揺動選別体において、前記チャフシーブを、前後方向に並ぶ固定フィン及び複数の可動フィンで構成すると共に、前記側板に、可動フィンの姿勢制御に基づいてチャフシーブの開度を調節する開度調節機構を配置し、さらに、前記固定フィンに、可動フィンの左右端部上方を覆う板状の屑溜り防止カバーを取付け、この屑溜り防止カバーによって前記開度調節機構への屑溜りを防止することを特徴とする揺動選別体。
【請求項２】
請求項１において、前記屑溜り防止カバーは、可動フィンを上方から弾圧し、可動フィンのガタツキを規制することを特徴とする揺動選別体。
【発明の詳細な説明】
【０００１】
【発明の属する技術分野】
本発明は、コンバインや脱穀機に設けられる揺動選別体の技術分野に属するものである。
【０００２】
【従来の技術】
一般に、コンバインや脱穀機の選別部には、被選別物を篩い選別する揺動選別体が設けられ、該揺動選別体のチャフシーブ及びグレインシーブで篩い落された被選別物が選別風で更に精選されるが、チャフシーブが一定の開度を保つものでは、被選別物の増減に伴って選別精度にバラツキが生じるだけでなく、オーバーフローによって飛散粒が増加する可能性がある。
そこで、チャフシーブの開度を調節する開度調節機構を設けると共に、被選別物の量に応じてチャフシーブ開度を自動制御することにより、上記の問題を解決することが提案されている（例えば、特許文献１参照。）。
【０００３】
【特許文献１】
特開平１０−１１３０５３号公報（第７図）
【０００４】
【発明が解決しようとする課題】
しかしながら、上記揺動選別体の左右側板間に、複数の可動フィンを並設してチャフシーブを構成すると共に、側板に設けた開度調整機構で可動フィンの姿勢制御を行うようにしたものでは、被選別物に含まれる屑が、側板に形成される孔を通って開度調節機構側に侵入することがあり、この屑が開度調節機構に溜まると、作動不良を起す可能性がある。
【０００５】
【課題を解決するための手段】
本発明は、上記の如き実情に鑑みこれらの課題を解決することを目的として創作されたものであって、左右の側板間に、被選別物を篩い落すチャフシーブが構成された揺動選別体において、前記チャフシーブを、前後方向に並ぶ固定フィン及び複数の可動フィンで構成すると共に、前記側板に、可動フィンの姿勢制御に基づいてチャフシーブの開度を調節する開度調節機構を配置し、さらに、前記固定フィンに、可動フィンの左右端部上方を覆う板状の屑溜り防止カバーを取付け、この屑溜り防止カバーによって前記開度調節機構への屑溜りを防止することを特徴とする。つまり、屑溜り防止カバーによって開度調節機構への屑溜りを防止することにより、屑溜りによる開度調節機構の作動不良を回避でき、しかも、屑溜り防止カバーは、固定フィンを利用して取付けられるため、取付部を別途確保する必要がなく、その結果、構造の複雑化も回避することができる。
また、前記屑溜り防止カバーは、可動フィンを上方から弾圧し、可動フィンのガタツキを規制することを特徴とする。この場合においては、可動フィンのガタツキによる選別精度の低下を回避でき、しかも、屑溜り防止カバーを可動フィンのガタツキ防止部材に兼用することにより、部品点数の削減及び構造の簡略化を図ることができる。
【０００６】
【発明の実施の形態】
次に、本発明の実施の形態の一つを図面に基づいて説明する。図面において、１はコンバインに搭載される選別装置であって、該選別装置１は、茎稈を扱室２に沿って挟持搬送する脱穀フィードチェン３と、搬送茎稈から被選別物（混合物を含む穀粒）を脱穀する扱胴４と、脱穀された被選別物を漏下する受網５と、該受網５から漏下せずに扱室終端まで達した被選別物を単粒化処理する処理胴６と、該処理胴６が単粒化した被選別物を漏下する第二受網７と、前記受網５から漏下した被選別物を順次揺動搬送する揺動流板８と、該揺動流板８の終端部で被選別物を篩い落すチャフシーブ９と、該チャフシーブ９の上方を覆うように設けられるリターンパン１０と、前記チャフシーブ９から漏下した被選別物を更に篩い落すグレインシーブ１１と、該グレインシーブ１１から漏下した被選別物を一番選別風で精選する送風ファン１２と、精選された穀粒を横搬送する一番ラセン１３と、前記チャフシーブ９やグレインシーブ１１から漏下しなかった被選別物や第二受網７から漏下した被選別物を篩い落すストロラック１４と、該ストロラック１４等から漏下した被選別物を二番選別風で風選別する二番選別ファン１５と、風選別された二番物を横搬送する二番ラセン１６と、前記ストロラック１４の終端位置で藁屑等を機外に排出する排塵ファン（三番口）１７と、脱穀処理済みの排藁を四番口１８を介して機外に排出搬送する排藁チェン（図示せず）とを備えて構成される。
【０００７】
揺動流板８、チャフシーブ９、リターンパン１０、グレインシーブ１１及びストロラック１４は、左右の側板１９間に設けられ、一体的な揺動アッシーである揺動選別体２０を構成している。つまり、揺動選別体２０は、選別装置１内に揺動自在に支持されると共に、図示しないクランク機構又はカム機構によって所定の周期で連続的に往復揺動される。
【０００８】
チャフシーブ９は、前後方向に所定間隔を存して並列する固定フィン２１及び複数の可動フィン２２を有し、これらフィン２１、２２の隙間から被選別物を篩い落すように構成されるが、フィン２１、２２の隙間（開度）は、調節できるようになっており、例えば、被選別物の量に応じて自動的に制御される。本実施形態では、チャフシーブ９を予めチャフシーブアッシーＡとして構成し、これを左右の側板１９間に設けると共に、その開度を、チャフシーブアッシーＡ側及び側板１９側に構成される開度調節機構２３によって調節するようになっており、以下、チャフシーブアッシーＡ及び開度調節機構２３について説明する。
【０００９】
チャフシーブアッシーＡは、左右一対のアッシー側板２４と、アッシー側板２４の前端部同士又は後端部同士を一体的に連結する前後一対の固定フィン２１と、左右のアッシー側板２４に前後移動自在に架設される複数の可動フィン２２と、これらの可動フィン２２を連結するパンタグラフ２５と、最後尾の可動フィン２２に連結される第一連結リンク２６とを備えて構成される。
【００１０】
左右のアッシー側板２４には、前後方向を向く上下一対の長孔２４ａ、２４ｂが、上下に所定間隔を存して並列状に形成されている。可動フィン２２の上端部及び下端部には、左右方向を向くピン２２ａ、２２ｂが固着され、上端部のピン２２ａは、その左右両端部がアッシー側板２４の上側の長孔２４ａに遊嵌される一方、下端部のピン２２ｂは、その左右両端部がアッシー側板２４の下側の長孔２４ｂに遊嵌される。これにより、各可動フィン２２は、所定の角度を保ちながら、前後方向にスライドすることが許容される。
【００１１】
パンタグラフ２５は、互いに回動自在に連結される多数のリンク部材によって伸縮自在に構成され、アッシー側板２４の外側面に沿って配置される。パンタグラフ２５の各中間支点部のうち、前端部の中間支点部は、アッシー側板２４の前端部（固定フィン位置）に固定される一方、他の中間支点部は、各可動フィン２２の下側ピン２２ｂを回動自在に支持している。これにより、複数の可動フィン２２がパンタグラフ２５を介して連結され、パンタグラフ２５の伸縮に応じて、各フィン間隔（チャフシーブ開度）が同じ比率で変化することになる。また、第一連結リンク２６は、最後尾の可動フィン２２（下側ピン２２ｂの左右両端部）に連結される左右一対のリンク部材２６ａと、その先端部同士を一体的に連結するパイプ部材２６ｂとを備えて構成され、その前後操作に応じて複数の可動フィン２２がスライドし、フィン間隔が調節される。
【００１２】
尚、本実施形態のチャフシーブアッシーＡは、パンタグラフ２５の前側を基点とする伸縮により、可動フィン２２のフィン間隔を調節するように構成されるが、パンタグラフ２５の後側を基点とする伸縮により、可動フィン２２のフィン間隔を調節するようにしてもよい。そして、この場合には、チャフシーブアッシーＡの前側を、平面視で揺動流板８の下側にオーバーラップするように配置すれば、フィン間隔を小さくしたときでも、揺動流板８と可動フィン２２との間に大きな隙間ができる不都合を回避できる。
【００１３】
開度調節機構２３は、前記第一連結リンク２６を前後方向にスライド支持する第二連結リンク２７と、第一連結リンク２６に連結される作動プレート２８と、この作動プレート２８を前後方向に強制移動させる開度調節モータ２９とを備えて構成される。第一連結リンク２６のパイプ部材２６ｂには、連結軸３０が挿通され、その両端部は、揺動選別体２０の側板１９に前後方向を向いて形成される長孔１９ａに遊嵌している。第二連結リンク２７は、揺動選別体２０を左右方向に貫通する回動支軸２７ａと、該回動支軸２７ａの左右両端部に一体的に設けられる左右一対のリンク部材２７ｂとを備えて構成される。リンク部材２７ｂの先端部には、リンク方向を向く長孔２７ｃが形成され、この長孔２７ｃで前記連結軸３０の左右両端部が支持される。つまり、連結軸３０の両端部を第二連結リンク２７で支持することにより、連結軸３０を長孔２７ｃに沿って円滑にスライドさせることが可能になる。
【００１４】
作動プレート２８は、側板１９の外側面に設けられる複数のガイドローラ３１で前後スライド自在に支持されると共に、その後端部が連結軸３０に連結される。また、作動プレート２８の前端側には、ラック２８ａが形成され、ここに開度調節モータ２９の出力ギヤ２９ａが噛合される。従って、開度調節モータ２９を駆動させると、作動プレート２８が前後にスライド移動し、それに追随するように連結軸３０が前後に移動する。これにより、前記第一連結リンク２６がパンタグラフ２５を伸縮させ、可動フィン２２のフィン間隔を調節することが可能になる。
【００１５】
チャフシーブ９を上記のように構成した場合、揺動選別体２０の側板１９やチャフシーブアッシーＡのアッシー側板２４には、長孔１９ａ、２４ａ、２４ｂが形成される。これらの長孔１９ａ、２４ａ、２４ｂは、被選別物に含まれる屑の通過を許容するので、パンタグラフ２５や開度調節機構２３に屑が溜まる可能性がある。本発明は、このような問題を解決するために、チャフシーブ９に一対の屑溜り防止カバー３２を設けている。
【００１６】
屑溜り防止カバー３２は、スプリング板材で構成され、その前端部には、下方に曲げ加工された折曲部３２ａが形成される。そして、屑溜り防止カバー３２は、折曲部３２ａを固定フィン２１の左右両端部に固設することにより、片持ち状態で取り付けられ、各可動フィン２２の左右端部上方を覆う。これにより、長孔１９ａ、２４ａ、２４ｂからの屑の侵入を減らし、パンタグラフ２５や開度調節機構２３への屑溜りを防止することが可能になる。また、屑溜り防止カバー３２は、フィン間隔最大時における最後尾の可動フィン位置よりも後方に延出するように長さが設定される。これにより、フィン間隔調節に拘わらず常に可動フィン２２の左右端部上方を覆うことが可能になる。また、屑溜り防止カバー３２は、可動フィン２２を上方から弾圧するように固定フィン２１に取り付けられる。これにより、屑溜り防止カバー３２を利用して可動フィン２２のガタツキを規制することが可能になる。
【００１７】
叙述の如く構成されたものにおいて、左右の側板１９間に、被選別物を篩い落すチャフシーブ９が構成された揺動選別体２０において、前記チャフシーブ９を、前後方向に並ぶ固定フィン２１及び複数の可動フィン２２で構成すると共に、前記側板１９やアッシー側板２４に、可動フィン２２の姿勢制御に基づいてチャフシーブ９の開度を調節する開度調節機構２３やパンタグラフ２５を配置し、さらに、前記固定フィン２１に、可動フィン２２の左右端部上方を覆う板状の屑溜り防止カバー３２を取付け、この屑溜り防止カバー３２によって前記開度調節機構２３やパンタグラフ２５への屑溜りを防止するため、屑溜りによる開度調節機構２３やパンタグラフ２５の作動不良を回避でき、しかも、屑溜り防止カバー３２は、固定フィン２１を利用して取付けられるため、取付部を別途確保する必要がなく、その結果、構造の複雑化も回避することができる。
【００１８】
また、前記屑溜り防止カバー３２は、可動フィン２２を上方から弾圧し、可動フィン２２のガタツキを規制するため、可動フィン２２のガタツキによる選別精度の低下を回避でき、しかも、屑溜り防止カバー３２を可動フィン２２のガタツキ防止部材に兼用することにより、部品点数の削減及び構造の簡略化を図ることができる。
【図面の簡単な説明】
【図１】選別装置の内部側面図である。
【図２】チャフシーブ及びその開度調節機構を示す揺動選別体の要部断面図である。
【図３】開度調節機構を示す揺動選別体の要部側面図である。
【図４】フィン間隔を広くした状態のチャフシーブを示す揺動選別体の要部断面図である。
【図５】フィン間隔を狭くした状態のチャフシーブを示す揺動選別体の要部断面図である。
【図６】フィン間隔を広くした状態を示すチャフシーブアッシーの斜視図である（屑溜り防止カバー省略）。
【図７】フィン間隔を狭くした状態を示すチャフシーブアッシーの斜視図である（屑溜り防止カバー省略）。
【図８】フィン間隔を広くした状態を示すチャフシーブアッシーの側面図である（屑溜り防止カバー省略）。
【図９】フィン間隔を狭くした状態を示すチャフシーブアッシーの側面図である（屑溜り防止カバー省略）。
【図１０】フィン間隔を広くした状態を示すチャフシーブアッシーの断面図である（屑溜り防止カバー省略）。
【図１１】フィン間隔を狭くした状態を示すチャフシーブアッシーの断面図である（屑溜り防止カバー省略）。
【符号の説明】
１　　　選別装置
９　　　チャフシーブ
１９　　側板
１９ａ　長孔
２０　　揺動選別体
２１　　固定フィン
２２　　可動フィン
２３　　開度調節機構
２４　　アッシー側板
２４ａ　長孔
２４ｂ　長孔
２５　　パンタグラフ
２６　　第一連結リンク
２７　　第二連結リンク
２８　　作動プレート
２９　　開度調節モータ
３２　　屑溜り防止カバー
３２ａ　折曲部
Ａ　　　チャフシーブアッシー
【図１】
2004113184.tif 000003
【図２】
2004113184.tif 000004
【図３】
2004113184.tif 000005
【図４】
2004113184.tif 000006
【図５】
2004113184.tif 000007
【図６】
2004113184.tif 000008
【図７】
2004113184.tif 000009
【図８】
2004113184.tif 000010
【図９】
2004113184.tif 000011
【図１０】
2004113184.tif 000012
【図１１】
2004113184.tif 000013